(57)【要約】【課題】コントロールボックスを取り出す際の作業が容易となり、作業性を向上させることを目的とする。【解決手段】室外機２は、内部に空間Ｓが形成され、開閉可能な前面パネル３ｃを有する筐体３と、筐体３の内部に収容されるとともに、前面パネル３ｃに面した位置に設けられるコントロールボックス７と、筐体３に対してコントロールボックス７を吊下げて支持する支持部８と、コントロールボックス７と連結して内部に冷媒が流通する冷媒配管９を有する冷却部１０と、を備える。支持部８は、前後方向に延びる切欠き１８，１９を有する。コントロールボックス７は、上部に切欠き１８，１９と係合する係合部１６を有する。切欠き１８，１９と係合部１６とは、切欠き１８，１９に沿って係合部１６がスライド移動可能に係合する。【選択図】図２
2019143944.tif 000002
【特許請求の範囲】
【請求項１】
内部に空間が形成され、該空間の一方向の端面を規定するパネルが開閉可能である筐体と、
前記筐体の内部に収容されるとともに、前記パネルに面した位置に設けられるコントロールボックスと、
前記筐体に対して、前記コントロールボックスを吊下げて支持する支持部と、
前記コントロールボックスと連結し、内部に冷媒が流通する冷媒配管を有する冷却部と、を備え、
前記支持部は、前記一方向に延びるガイド部を有し、
前記コントロールボックスは、上部に前記ガイド部と係合する係合部を有し、
前記ガイド部と前記係合部とは、前記ガイド部に沿って前記係合部がスライド移動可能に係合する空気調和機の室外機。
【請求項２】
前記ガイド部と前記係合部とは、前記係合部が上下方向軸を中心として回転可能に係合する請求項１に記載の空気調和機の室外機。
【請求項３】
前記ガイド部は、前記一方向と交差する方向に延びる交差方向部を有している請求項１または請求項２に記載の空気調和機の室外機。
【請求項４】
前記冷却部は、前記コントロールボックスと前記パネルとの間に配置される請求項１から請求項３のいずれかに記載の空気調和機の室外機。
【請求項５】
前記支持部は、下方に延びる爪部を有し、
前記筐体は、上方に開口し、前記爪部と係合する受け止め部を有する請求項１から請求項４のいずれかに記載の空気調和機の室外機。
【発明の詳細な説明】
【技術分野】
【０００１】
本発明は、空気調和機の室外機に関するものである。
【背景技術】
【０００２】
冷媒が循環する冷凍サイクルを備える空気調和機の室外機の内部には、圧縮機等の電動機の運転状態を制御するためのインバータ回路などの電気回路が収容されるコントロールボックスが設けられている。一般的にインバータ回路には高熱を生ずる発熱部材が用いられるので、従来の空気調和機ではこの発熱部材が動作可能な温度よりも高温にならないように、発熱部材を冷却する構成が設けられている（例えば特許文献１）。
【先行技術文献】
【特許文献】
【０００３】
【特許文献１】特開２０１１−９４９２６号公報
【発明の概要】
【発明が解決しようとする課題】
【０００４】
ところで、コントロールボックスは、メンテナンスを行う等の理由から、室外機の内部から取り出されることがある。コントロールボックスを取り出す際には、コントロールボックスと室外機との締結を解除する必要がある。特許文献１に記載の装置のように、コントロールボックスが室外機の上方に位置している場合、コントロールボックスと室外機との締結を解除する際に、重量物であるコントロールボックスを下方から支持しながら締結を解除しなければならず、コントロールボックスを取り出す作業が煩雑になる可能性があった。
【０００５】
また、上記のように、空気調和機では、発熱部材を冷却する構成が設けられている場合があり、発熱部材を冷却する構成として、例えば、冷媒配管を用いるものがある。このような構成では、冷媒配管内を流通する冷媒と発熱部材とを熱的に接触させ、熱交換させることで、発熱部材を冷却している。したがって、このような構成では、冷却配管を有する冷却部と、発熱部材を内部に収容するコントロールボックスとを接触させている。また、当該接触が容易に解除されないように、接触部分において、冷却部とコントロールボックスとを連結している。
【０００６】
コントロールボックスは、メンテナンスを行う等の理由から、室外機の内部から取り出されることがある。冷媒配管を用いた冷却を行う構成において、コントロールボックスを取り出すためには、冷却部とコントロールボックスとの連結を解除する必要がある。しかしながら、近年、室外機が小型化されているので、室外機内に余剰スペースがなく、連結を解除する作業を行うスペースがない場合がある。特に、連結部分が容易にアクセスすることができない位置にある場合には、作業スペースの確保が難しい。このような場合には、作業スペースを設けるために、コントロールボックスを取り出す面のパネルの他に、他のパネル（例えば、側面のパネルや上面のパネル等）も取り外す必要があり、コントロールボックスを取り出す作業が煩雑になる可能性があった。
【０００７】
本発明は、このような事情に鑑みてなされたものであって、コントロールボックスを取り出す際の作業が容易となり、作業性を向上させることができる空気調和機の室外機を提供することを目的とする。
【課題を解決するための手段】
【０００８】
上記課題を解決するために、本発明の空気調和機の室外機は以下の手段を採用する。
本発明の一態様に係る空気調和機の室外機は、内部に空間が形成され、該空間の一方向の端面を規定するパネルが開閉可能である筐体と、前記筐体の内部に収容されるとともに、前記パネルに面した位置に設けられたコントロールボックスと、前記筐体に対して、前記コントロールボックスを吊下げて支持する支持部と、前記コントロールボックスと連結し、内部に冷媒が流通する冷媒配管を有する冷却部と、を備え、前記支持部は、前記一方向に延びるガイド部を有し、前記コントロールボックスは、上部に前記ガイド部と係合する係合部を有し、前記ガイド部と前記係合部とは、前記ガイド部に沿って前記係合部がスライド移動可能に係合する。
【０００９】
上記構成では、コントロールボックスがパネルに面して配置されるとともに、支持部がコントロールボックスを筐体に対して一方向にスライド移動可能に支持している。これにより、着脱可能である筐体のパネルのみを取り外せば、筐体内からコントロールボックスを取り出すことができる。したがって、筐体内部に形成された空間の他の方向を規定する面部を取り外すことなく、コントロールボックスを取り出すことができるので、コントロールボックスを取り出す際の作業が簡易となり、作業性を向上させることができる。また、コントロールボックスをスライド移動させることができるので、容易に移動させることができる。したがって、コントロールボックスを取り出す際の作業が容易となり、作業性を向上させることができる。
また、コントロールボックスを取り付ける際にも、同様の効果を奏する。すなわち、コントロールボックスを取り付ける際の作業が簡易となり、作業性を向上させることができる。
【００１０】
また、上記構成では、コントロールボックスを支持部に吊下げている。これにより、コントロールボックスを筐体内から取り出す際に、作業者がコントロールボックスを下から支えるようにして、コントロールボックスを支持部から取り外すことができる。したがって、コントロールボックスを持ち上げるようにして支持部から取り外す構成と比較して、作業者の作業負担を軽減することができる。また、コントロールボックスを支持する支持部を有しているので、コントロールボックスを筐体内から取り出す際に、コントロールボックスと筐体との締結を解除しても、支持部がコントロールボックスを支持した状態となる。これにより、締結を解除する際に、重量物であるコントロールボックスを下方から支持する必要がないので、作業者の作業負担を軽減することができる。
【００１１】
また、本発明の一態様に係る空気調和機の室外機は、前記ガイド部と前記係合部とは、前記係合部が上下方向軸を中心として回転可能に係合してもよい。
【００１２】
上記構成では、係合部を回転させることで、コントロールボックス全体の向きを変えることができる。したがって、例えば、コントロールボックスとパネルとの間に他の装置等があった場合であっても、コントロールボックスの向きを変えることで、コントロールボックスと当該装置との干渉を回避し、コントロールボックスをパネル側にスライド移動させることができる。
【００１３】
また、本発明の一態様に係る空気調和機の室外機は、前記ガイド部は、前記一方向と交差する方向に延びる交差方向部を有していてもよい。
【００１４】
上記構成では、ガイド部が一方向と交差する方向に延びる交差方向部を有している。これにより、コントロールボックスを交差方向に移動させることができる。したがって、例えば、コントロールボックスとパネルとの間に他の装置等があった場合であっても、コントロールボックスを交差方向に移動させることで、コントロールボックスと当該装置との干渉を回避し、コントロールボックスをパネル側にスライド移動させることができる。
【００１５】
また、本発明の一態様に係る空気調和機の室外機は、前記冷却部は、前記コントロールボックスと前記パネルとの間に配置されていてもよい。
【００１６】
上記構成では、コントロールボックスとパネルとの間に冷却部が配置されている。これにより、連結を解除するために、パネル側から冷却部にアクセスする際に、コントロールボックスに阻害されることがない。したがって、コントロールボックスと冷却部との連結を解除し易い構成とすることができる。したがって、コントロールボックスの取り出し作業が簡易となり、取り出し作業の作業性を向上させることができる。
【００１７】
また、本発明の一態様に係る空気調和機の室外機は、前記支持部は、下方に延びる爪部を有し、前記筐体は、上方に開口し、前記爪部と係合する受け止め部を有してもよい。
【００１８】
上記構成では、爪部を受け止め部に挿入するだけで、筐体に対して支持部を支持させることができる。したがって、簡易に、筐体に対して支持部を支持させることができる。また、例えば、受け止め部を板状の部材に形成する場合には、板状の部材の一部を板金成形等で、支持部側に突出させることで、受け止め部を形成することができる。したがって、筐体に対して支持部を支持させる支持構造を簡易な構成とすることができる。
【発明の効果】
【００１９】
本発明によれば、コントロールボックスを取り出す際の作業が容易となり、作業性を向上させることができる。
【図面の簡単な説明】
【００２０】
【図１】本発明の一実施形態に係る空気調和機の室外機の模式的な正面図である。
【図２】図１の模式的な平面図である。
【図３】図２のコントロールボックスを移動させた状態を示す図である。
【図４】図１の支持部の平面図である。
【図５】図４の正面図である。
【図６】図４の左側面図である。
【図７】図１の室外機に設けられた支持部及び受け止め部を示す模式的な斜視図である。
【図８】図７の受け止め部の側面図である。
【図９】支持部に対してコントロールボックスが係合した状態を示す模式的な斜視図である。
【図１０】係合部の一変形例を示す模式的な側面図である。
【図１１】係合部の一変形例を示す模式的な斜視図である。
【図１２】図１１の模式的な側面図である。
【発明を実施するための形態】
【００２１】
以下に、本発明に係る空気調和機の室外機の一実施形態について、図面を参照して説明する。なお、図中のＦＲは室外機前方（外気の導入側方向）を、図中ＵＰは室外機上方を、図中ＩＮは左右方向の内側をそれぞれ示している。また、左右方向は、室外機前方を向いた状態での左右方向を意味する。
【００２２】
本実施形態に係る空気調和機１は、冷媒を圧縮する圧縮機４と、冷媒の循環方向を切換える四方切換弁（図示省略）と、冷媒と外気とを熱交換させる室外熱交換器５と、冷媒を膨張させる膨張弁（図示省略）と、冷媒と室内ファン（図示省略）からの室内空気とを熱交換させる室内熱交換器（図示省略）とを具備し、それらの機器間を冷媒配管９によって接続した閉サイクルの冷媒サイクルを備えている。各種機器は、室内機（図示省略）又は室外機２に収容される。
【００２３】
図１から図３に示すように、室外機２は、室外機２の外郭を構成し、内部に空間Ｓを形成する略直方体形状の筐体３を備えている。また、室外機２は、冷媒サイクルを構成する圧縮機４、室外熱交換器５と、室外熱交換器５に外気を導く送風機６と、圧縮機４等を制御するインバータ等の電気部品が収容されるコントロールボックス７と、筐体３に対してコントロールボックス７を支持する支持部８と、冷媒配管内を流通する冷媒によってコントロールボックスに収容された電気部品を冷却する冷却部１０と、を備え、当該装置等は、空間Ｓに配置されている。なお、図２及び図３では、冷媒配管が主に配置される領域に対して符号９Ａを付している。
【００２４】
筐体３は、空間Ｓの上面を規定する上面パネル３ａと、該空間Ｓの下面を規定する底面パネル３ｂと、該空間Ｓの前面（一方向の端面）を規定する前面パネル（パネル）３ｃと、該空間Ｓの後面を規定する後面パネル３ｄと、該空間Ｓの右面を規定する右面パネル３ｅと、該空間Ｓの左面を規定する左面パネル３ｆと、を有している。また、筐体３は、室外熱交換器５等が配置される熱交換器室１３と、圧縮機４やコントロールボックス７等が配置される機械室１４とを仕切る隔壁３ｇを有している。
【００２５】
前面パネル３ｃは、一部または全部が、開閉可能に構成されている。また、前面パネル３ｃには、送風機６によって、室外機２内に導入された外気を排出する排出開口（図示省略）が形成されている。
後面パネル３ｄには、室外機２内に外気を導入する導入開口（図示省略）が形成されている。
隔壁３ｇは、平面視略Ｌ字状に形成され、左面パネル３ｆの内面から右方向に所定距離延びる第１隔壁３ｇａと、第１隔壁３ｇａの右側端部から前方に前面パネル３ｃ近傍まで延びる第２隔壁３ｇｂとを有する。また、第２隔壁３ｇｂの機械室１４側の面には、後述する支持部８の爪部２２が挿入される受け止め部２１が形成される。受け止め部２１は、図７及び図８に示すように、板金成形等によって第２隔壁３ｇｂの一部を機械室１４側に突出させるように形成されており、上端部が上方に開口している。また、受け止め部２１の下部は、左右方向の長さが下方に向かうにつれて暫時短くなるように傾斜している。
【００２６】
熱交換器室１３は、内部に平面視略Ｌ字状の空間を有する。熱交換器室１３内には、平面視略Ｌ字状の室外熱交換器５が、右面パネル３ｅ及び後面パネル３ｄに沿うように底面パネル３ｂ上に載置されている。また、熱交換器室１３内には、外気を室外熱交換器５に導く送風機６と、送風機６を駆動する電動モータ１１が配置されている。
【００２７】
機械室１４は、前面パネル３ｃ、左面パネル３ｆ及び隔壁３ｇによって区画された空間を有する。機械室１４内には、圧縮機４が底面パネル３ｂ上に載置されている。また、機械室１４の上部には、第２隔壁３ｇｂに支持される支持部８が設けられている。支持部８には、コントロールボックス７が吊下げられることで支持されている。また、機械室１４内には、冷媒サイクルを構成する冷媒配管９の一部が、コントロールボックス７と第１隔壁３ｇａとの間に配置されている。また、機械室１４内には、冷媒配管９が内部に収容される冷却部１０が、前面パネル３ｃとコントロールボックス７との間に配置されている。また、機械室１４内には、冷媒サイクルに設けられる膨張弁も配置されている。
【００２８】
コントロールボックス７は、略直方体形状であって、前後方向の長さが比較的短く形成されるとともに、機械室１４の左右方向の長さの略全域を占める長さに形成される。また、コントロールボックス７の下端部は、コントロールボックス７が支持部８に吊り下げられた状態において、室外機２の高さ方向の略中央領域に位置し、コントロールボックス７の下方には圧縮機４が配置される。また、コントロールボックス７は、前面パネル３ｃに面する位置に配置されている。すなわち、コントロールボックス７は、機械室１４内において、前後方向の中央よりも前面パネル３ｃ側に配置されている。このため、コントロールボックス７は、前面パネル３ｃを開いた状態において、前方からアクセス可能な位置に配置されている。
【００２９】
また、コントロールボックス７の内部には、圧縮機４等の運転状態を制御するためのインバータを構成するパワートランジスタ等の、発熱を伴う電気部品（以下、「発熱部品」という。）が収容されている。また、コントロールボックス７の上面には、所定の間隔で、係合部１６が２つ設けられている。各係合部１６は、夫々、コントロールボックス７の上面から上方に延びる円柱状の円柱部１６ｂと、円柱部１６ｂの上端に固定される円盤状の円盤部１６ａとを有する。円盤部１６ａの直径は、円柱部１６ｂの直径よりも大きく形成されている。また、円盤部１６ａは、平面状の下面が、円柱部１６ｂの上面に接触するように固定されている。
【００３０】
また、コントロールボックス７には、伝熱性の良いアルミ合金材等から構成されるアルミブロック１７が設置されている。アルミブロック１７は、上下方向に長軸を有する略三角柱形状とされている。アルミブロック１７には、コントロールボックス７の前面に形成された開口（図示省略）を通じて、発熱部品がネジ（図示省略）等によって締結されている。
【００３１】
支持部８は、図１から図３に示すように、機械室１４の上部に設けられている。支持部８は、図４から図７に示すように、コントロールボックス７の係合部１６が係合する第１切欠き（ガイド部）１８及び第２切欠き（ガイド部）１９が形成される第１部分２０と、第２隔壁３ｇｂに形成された受け止め部２１に挿入される爪部２２が形成される第２部分２３と、筐体３に対して固定される第１固定部２４及び第２固定部２５と、を有する。
【００３２】
第１部分２０は、板状部材の中央領域を板金成形等で下方に突出させた突出部２８を有する。突出部２８は、下方に向かうにつれて漸次前後方向の長さ及び左右方向の長さが減少するように湾曲する外周部２８ａと、略平板状に形成される中央部２８ｂと、を一体的に有する。
【００３３】
中央部２８ｂには、第１切欠き１８及び第２切欠き１９が形成されている。
第１切欠き１８は、第２隔壁３ｇｂ側に形成されている。第１切欠き１８は、中央部２８ｂの前縁から後方に向かって直線状に延びている。第１切欠き１８の左右方向の長さは、係合部１６の円柱部１６ｂの直径よりも僅かに長く形成されるとともに、係合部１６の円盤部１６ａの直径よりも短く設定される。
また、外周部２８ａには、第１切欠き１８の前端部と連通する第１開口２８ｃが形成されている。第１開口２８ｃの左右方向の長さは、係合部１６の円盤部１６ａの直径よりも長く設定され、円盤部１６ａが挿通可能に形成されている。
【００３４】
第２切欠き１９は、左面パネル３ｆ側に形成されている。第２切欠き１９は、中央部２８ｂの前縁から後方に向かって直線状に延びる前後方向部１９ａと、前後方向部１９ａの後端から略直角に湾曲して前後方向と略直交する方向（左右方向）に延びる交差方向部１９ｂと、を有する。すなわち、第１切欠き１８と前後方向部１９ａとは略平行に延在している。第１切欠き１８の左右方向の長さ、第２切欠き１９の前後方向部１９ａの左右方向の長さ及び第２切欠き１９の交差方向部１９ｂの前後方向の長さ（以下、各長さを「切欠きの延在方向の幅」という。）は、係合部１６の円柱部１６ｂの直径よりも僅かに長く形成されるとともに、係合部１６の円盤部１６ａの直径よりも短く設定される。
また、外周部２８ａには、前後方向部１９ａの前端部と連通する第２開口２８ｄが形成されている。第２開口２８ｄの左右方向の長さは、係合部１６の円盤部１６ａの直径よりも長く設定され、円盤部１６ａが挿通可能に形成されている。
【００３５】
第２部分２３は、第１部分２０の第２隔壁３ｇｂ側端部（右側端部）から下方に延びる矩形板状の部材であって、前後方向の長さが、第１部分２０よりも長く形成されている。第２部分２３の略中央領域には、図６に示すように、開口２３ａが形成されるとともに、開口２３ａの上縁から下方に延びる爪部２２が形成されている。爪部２２の下部は、下方に向かうにつれて前後方向の長さが短くなるように傾斜している。
【００３６】
第１固定部２４は、図４及び図５に示すように、第２部分２３の前端から左側方向に延びる矩形板状の部材であって、ボルト孔２４ａが形成されている。第１固定部２４は、ボルト孔２４ａを挿通するボルト（図示省略）によって、筐体３側の固定部材（図示手略）と締結される。
【００３７】
第２固定部２５は、第１部分２０の前端から下方に延びる矩形板状の部材であって、ボルト孔２５ａが２つ形成されている。第２固定部２５は、ボルト孔２５ａを挿通するボルト（図示省略）によって、筐体３側の固定部材（図示省略）と締結される。
【００３８】
冷却部１０は、図１から図３に示すように、内部に冷媒が流通する冷媒配管９と、冷媒配管９を固定する冷媒配管固定部３１とを有し、コントロールボックス７と前面パネル３ｃとの間に配置される。
冷却部１０に含まれる冷媒配管９は、冷媒サイクルの一部を構成する冷媒配管９の一部であり、例えば、膨張弁と室内熱交換器との間の冷媒配管９等を、冷却部１０が設けられる位置まで迂回させたものである。
【００３９】
冷媒配管固定部３１は、上下方向に延びる長尺の板状体とされており、筐体３に対して固定されている。冷媒配管固定部３１は、冷媒配管９と同一の素材で形成される。冷媒配管９及び冷媒配管固定部３１は、アルミ合金材または銅によって形成される。冷媒配管固定部３１の一面は、アルミブロック１７の傾斜面と面接触している。冷媒配管固定部３１及びアルミブロック１７には、ネジ（図示省略）が係合可能なネジ穴（図示省略）が形成されており、冷媒配管固定部３１とアルミブロック１７とは、このネジ穴に係合するネジによって締結固定されている。すなわち、冷媒配管固定部３１とアルミブロック１７とは、着脱可能に固定されている。
また、冷媒配管固定部３１と冷媒配管９とは、平面形状の冷媒配管固定部３１の他面に冷媒配管９を溶接固定することで、固定されている。なお、図示しないが、冷媒配管固定部３１とアルミブロック１７との間に放熱シートを配置してもよい。
【００４０】
次に、支持部８とコントロールボックス７との支持構造について説明する。
図１〜図３及び図９に示すように、支持部８に形成された第１切欠き１８及び第２切欠き１９に対して、係合部１６が１つずつ係合することで、コントロールボックス７は支持部８に吊り下げられるように支持されている。詳細には、次のように支持されている。円柱部１６ｂの直径は、各切欠き１８，１９の延在方向の幅よりも小さく形成されているので、各切欠きを円柱部１６ｂが挿通する。また、円柱部１６ｂの上端に固定された円盤部１６ａの直径は、各切欠き１８，１９の延在方向の幅よりも大きく形成されているので、円盤部１６ａは各切欠き１８，１９を挿通しない。したがって、円柱部１６ｂを各切欠き１８，１９に挿通させると、円盤部１６ａが各切欠き１８，１９の隣接領域と干渉し、係合部１６が当該隣接領域に下方から支持されることとなる。このように、コントロールボックス７は支持部８に吊り下げられるように支持されている。
【００４１】
また、各切欠き１８，１９の延在方向の幅は、円柱部１６ｂの直径よりも僅かに大きく形成されている。これにより、円柱部１６ｂが切欠きに挿通されている状態で、円柱部１６ｂは回転可能となっている。すなわち、係合部１６と切欠きとは、係合部１６が上下方向軸を中心として回転可能に係合している。また、円柱部１６ｂが切欠きに挿通されている状態で、円柱部１６ｂは切欠きの延在方向に沿ってスライド移動可能となっている。すなわち、係合部１６と切欠きとは、切欠きの延在方向に沿って係合部１６がスライド移動可能に係合している。
【００４２】
次に、筐体３に対して支持部８を固定する方法について説明する。
筐体３に対して支持部８を固定する際には、まず、図７に示すように、受け止め部２１の開口に対して爪部２２を上方から挿入する。これにより、受け止め部２１と爪部２２とが係合し、筐体３に対する支持部８の位置が決定する。次に、第１固定部２４に形成されたボルト孔２４ａを挿通するボルトによって、第１固定部２４と筐体３側の固定部材とを締結固定する。次に、第２固定部２５に形成されたボルト孔２５ａを挿通するボルトによって、第２固定部２５と筐体３側の固定部材とを締結固定する。このようにして、筐体３に対して支持部８が固定される。なお、筐体３側の固定部材は、筐体３に対して固定されている部材であればよく、特に限定されない。筐体３側の固定部材は、例えば、筐体３の底面パネル３ｂに固定されて、底面パネル３ｂから上方に延びる柱部材でもよく、また、隔壁３ｇや左面パネル３ｆから機械室１４の内部に突出する板状の部材であってもよい。
【００４３】
次に、筐体３内からコントロールボックス７を取り出す方法について説明する。
まず、前面パネル３ｃを取り外す。次に、ネジを外し、冷媒配管固定部３１とアルミブロック１７との締結固定を解除する。次に、第１固定部材２４及び第２固定部材２５と筐体３側の固定部材との締結固定を解除する。
次に、コントロールボックス７を把持し、第２切欠き１９と係合している係合部１６を中心に、コントロールボックス７を回転させる。コントロールボックス７が回転すると、第１切欠き１８と係合している係合部１６が第１切欠き１８に沿ってスライド移動する。係合部１６がスライド移動すると、円盤部１６ａが第１開口２８ｃを通過し、係合部１６と第１切欠き１８との係合を解除する。
次に、第２切欠き１９と係合している係合部１６を第２切欠き１９の交差方向部１９ｂに沿ってスライド移動させる（図３参照）。このとき、スライド移動させながら係合部１６を中心に回転させることで、作業者が左右方向に移動しなくても、係合部１６をスライド移動させることができる。係合部１６が交差方向部１９ｂの端部まで移動した後に、係合部１６を前後方向部１９ａに沿うようにスライド移動させる。すなわち、コントロールボックス７を前方に引き出す。係合部１６を前後方向部１９ａに沿ってスライド移動させると、円盤部１６ａが第２開口２８ｄを通過し、第２切欠き１９と係合部１６との係合が解除される。
第２切欠き１９と係合部１６との係合が解除されると、支持部８に対するコントロールボックス７の支持も解除される。そして、コントロールボックス７を前方から引き出す。このようにして、筐体３内からコントロールボックス７を取り出される。
なお、筐体３内にコントロールボックス７を収容する際には、これと逆の手順によって収容することができる。
【００４４】
本実施形態によれば、以下の作用効果を奏する。
本実施形態では、コントロールボックス７が前面パネル３ｃに面して配置されるとともに、支持部８がコントロールボックス７を筐体３に対して前後方向にスライド移動可能に支持している。これにより、着脱可能である筐体３の前面パネル３ｃのみを取り外せば、筐体３内からコントロールボックス７を取り出すことができる。したがって、前面パネル３ｃ以外のパネル（例えば、左面パネル３ｆや上面パネル３ａ等）を取り外すことなく、コントロールボックス７を筐体３内から取り出すことができるので、コントロールボックス７を取り出す際の作業が簡易となり、作業性を向上させることができる。また、コントロールボックス７をスライド移動させることができるので、容易に移動させることができる。したがって、コントロールボックス７を取り出す際の作業が容易となり、作業性を向上させることができる。
また、コントロールボックス７を取り付ける際にも、同様の効果を奏する。したがって、コントロールボックス７を取り付ける際の作業が簡易となり、作業性を向上させることができる。
【００４５】
また、コントロールボックス７を取り付ける際及び取り外す際に、コントロールボックス７を第１切欠き１８及び第２切欠き１９に沿うようにスライド移動させることができる。すなわち、コントロールボックス７が、予め決められた経路をたどり取付け及び取り外される。これにより、コントロールボックス７を取り付ける際及び取り外す際に、コントロールボックス７と他の部材等との干渉を防止することができる。したがって、コントロールボックス７及び他の部材の損傷を防止することができる。
【００４６】
また、コントロールボックス７を支持部８に吊下げている。これにより、コントロールボックス７を筐体３内から取り出す際に、作業者がコントロールボックス７を下から支えるようにして、コントロールボックス７を支持部８から取り外すことができる。したがって、コントロールボックス７を持ち上げるようにして支持部８から取り外す構成と比較して、作業者の作業負担を軽減することができる。また、コントロールボックス７を支持する支持部８を有しているので、コントロールボックス７を筐体３内から取り出す際に、コントロールボックス７と筐体３との締結を解除しても、支持部８がコントロールボックス７を支持した状態となる。これにより、締結を解除する際に、重量物であるコントロールボックス７を下方から支持する必要がないので、作業者の作業負担を軽減することができる。
【００４７】
また、本実施形態では、係合部１６を回転させることで、コントロールボックス７全体の向きを変えることができる。したがって、例えば、コントロールボックス７と前面パネル３ｃとの間に他の装置（例えば、本実施形態では冷却部１０）等があった場合であっても、コントロールボックス７の向きを変えることで、コントロールボックス７と当該装置との干渉を回避し、コントロールボックス７を前面パネル３ｃ側にスライド移動させることができる。
【００４８】
また、本実施形態では、第２切欠き１９が左右方向に延びる交差方向部１９ｂを有している。これにより、コントロールボックス７を左右方向に移動させることができる。したがって、例えば、コントロールボックス７と前面パネル３ｃとの間に他の装置（例えば、本実施形態では冷却部１０）等があった場合であっても、コントロールボックス７を左右方向に移動させることで、コントロールボックス７と当該装置との干渉を回避し、コントロールボックス７を前面パネル３ｃ側にスライド移動させることができる。
【００４９】
また、本実施形態では、コントロールボックス７と前面パネル３ｃとの間に冷却部１０が配置されている。これにより、締結を解除するために、前面パネル３ｃ側から冷却部１０にアクセスする際に、コントロールボックス７に阻害されることがない。したがって、コントロールボックス７と冷却部１０との締結を解除し易い構成とすることができる。したがって、コントロールボックス７の取り出し作業が簡易となり、取り出し作業の作業性を向上させることができる。
【００５０】
すなわち、本実施形態では、コントロールボックス７と冷却部１０との締結を解除し易い位置に、冷却部１０を配置しても、コントロールボックス７を左右方向に移動させたり、回転させたりすることで、容易に筐体３内からコントロールボックス７を取り出すことができる。
【００５１】
また、本実施形態では、爪部２２を受け止め部２１に挿入するだけで、筐体３に対して支持部８を支持させることができる。したがって、簡易に、筐体３に対して支持部８を支持させることができる。また、受け止め部２１を、板状の第２隔壁３ｇｂの一部を板金成形等で、支持部８側に突出させることで、受け止め部２１を形成している。したがって、筐体３に対して支持部８を支持させる支持構造を簡易な構成とすることができる。本実施形態では、支持部８が筐体３に対して、第１固定部２４及び第２固定部２５によっても支持されているが、上記のように爪部２２及び受け止め部２１によっても支持部８を筐体３に対して支持させることで、各支持部分に作用する荷重が低減し、支持部分の耐荷重を増加させることができる。すなわち、本実施形態によれば、爪部２２を受け止め部２１に挿入するという簡易な構成によって、支持部分の耐荷重を増加させることができる。
また、爪部２２を受け止め部２１に挿入することで、支持部８の位置が決定される。これにより、第１固定部２４及び第２固定部２５を筐体３側の固定部材に固定する前に、爪部２２を受け止め部２１に挿入することで、第１固定部２４及び第２固定部２５を筐体３側の固定部材に固定する際に、位置決めされた状態で固定することができる。また、爪部２２を受け止め部２１に挿入するだけで、支持部８の位置決めを行うことができるので、位置決め作業を容易化することができる。
【００５２】
なお、本発明は、上記実施形態にかかる発明に限定されるものではなく、その要旨を逸脱しない範囲において、適宜変形が可能である。
例えば、冷却部１０が有する冷媒配管９は、冷媒サイクルから分岐した分岐配管であってもよい。
【００５３】
また、上記実施形態では、受け止め部２１を板金成形により第２隔壁３ｇｂと一体的に形成したが、受け止め部２１は、第２隔壁３ｇｂと別体でもよい。
【００５４】
また、上記実施形態では、第１切欠き１８及び第２切欠き１９の前後方向部１９ａを、前後方向に沿って延びるように設けた例について説明したが、第１切欠き１８及び第２切欠き１９の前後方向部は、前後方向に対して傾斜するように設けてもよい。
また、上記実施形態では、支持部８に、切欠きを２つ形成した例について説明したが、本発明はこれに限定されない。支持部８に形成される切欠きの数は、単数であってもよく、また、３つ以上であってもよい。
【００５５】
また、上記実施形態では、コントロールボックス７の移動をガイドする構造として、切欠き１８，１９と、円柱部１６ｂ及び円盤部１６ａからなる係合部１６と、を適用した例について説明したが、本発明はこれに限定されない。コントロールボックス７をガイドする構造は、コントロールボックス７をスライド移動可能とする構造であればよく、例えば、支持部側がレール状の部材を具備し、コントロールボックス側が当該レールと係合する係合部を具備することで、コントロールボックス７をスライド移動可能としてもよい。
【００５６】
なお、係合部１６の形状は、上記実施形態の形状に限定されない。例えば、上記実施形態では、コントロールボックス７の上面から上方に延びる部材について、円柱状の円柱部１６ｂとして説明したが、コントロールボックス７の上面から上方に延びる部材は、多角柱状の部材であってもよく、また、円筒状や多角筒状の部材であってもよい。また、上記実施形態では、円柱部１６ｂの上端に固定される部材について、円盤状の円盤部１６ａとして説明したが、円柱部１６ｂの上端に固定される部材は、矩形板状の部材であってもよい。
また、上記実施形態では、コントロールボックス７に対して別部材の係合部を固定する例について説明したが、本発明はこれに限定されず、係合部の一部または全部をコントロールボックス７と一体的に形成してもよい。例えば、図１０に示すように、コントロールボックス７の上面の一部分を、各切欠き１８，１９を挿通可能なように、板金成形等によって上方に突出させた突出部３６ｂを形成するとともに、当該突出部３６ｂの上端に円盤状の円盤部３６ａを溶接等で固定し、突出部３６ｂ及び円盤部３６ａによって係合部３６を構成してもよい。
また、例えば、係合部は、板状の部材を曲折することで形成してもよい。具体的には、係合部４６は、図１１及び図１２に示されているように、コントロールボックス７の上面に固定される固定部４６ａと、固定部４６ａの上端から上方に延びる鉛直部４６ｂと、鉛直部４６ｂの上端から後方に延びる水平部４６ｃと、を有するように形成されてもよい。このような構造とすることで、固定部４６ａとコントロールボックス７とを貫通するボルト４７によって、コントロールボックス７と係合部４６とを固定することができるので、溶接等を必要としない簡易な固定態様とすることができる。また、係合部４６を一部材で形成することができるので、係合部４６を簡易に製造することができる。
【符号の説明】
【００５７】
１      空気調和機
２      室外機
３      筐体
３ｃ    前面パネル（パネル）
３ｆ    左面パネル
３ｇ    隔壁
３ｇａ  第１隔壁
３ｇｂ  第２隔壁
４      圧縮機
５      室外熱交換器
６      送風機
７      コントロールボックス
８      支持部
９      冷媒配管
１０    冷却部
１６    係合部
１６ａ  円盤部
１６ｂ  円柱部
１７    アルミブロック
１８    第１切欠き（ガイド部）
１９    第２切欠き（ガイド部）
１９ａ  前後方向部
１９ｂ  交差方向部
２０    第１部分
２１    受け止め部
２２    爪部
２３    第２部分
２４    第１固定部
２５    第２固定部
２８    突出部
３１    冷媒配管固定部
３６    係合部
４６    係合部
【図１】
2019143944.tif 000003
【図２】
2019143944.tif 000004
【図３】
2019143944.tif 000005
【図４】
2019143944.tif 000006
【図５】
2019143944.tif 000007
【図６】
2019143944.tif 000008
【図７】
2019143944.tif 000009
【図８】
2019143944.tif 000010
【図９】
2019143944.tif 000011
【図１０】
2019143944.tif 000012
【図１１】
2019143944.tif 000013
【図１２】
2019143944.tif 000014